(57)【要約】【課題】【解決手段】歯肉の健康度及び歯垢の減少を示すべく歯肉組織及び歯をグラフィック的に表現する方法及びシステムである。歯肉炎及び歯垢に対する異なる治療剤の２つの治療を比較するため、１つの型式の統計学的方法として相対的なリスクが表示される。上側組み及び下側組みの歯は、各種の治療剤による色々な治療結果を表示するボックスの列により分離された歯列又は群にて表現される。
2007512067.tif 000002
【特許請求の範囲】
【請求項１】
歯のデータを提供する方法において、
治療前の色々な歯及び歯肉組織の箇所に対する歯及び歯肉組織の健康度の最初の測定を行うステップと、
歯の治療剤にて前記箇所を治療した後、前記歯及び歯肉組織に対する歯及び歯肉組織の健康度の第二の測定を行うステップと、
前記箇所の各々にて第一の測定と第二の測定との間の差を決定するステップと、
前記差を歯、歯肉組織及びボックスの列を保持するチャートにグラフィック的に表示し、前記ボックスは前記歯の間に配置され、前記差は前記ボックス内の所定の標識により表示されるようにするステップとを備える、歯のデータを提供する方法。
【請求項２】
請求項１に記載の方法において、前記グラフィックディスプレイは、上歯の頬側面の列と、下歯の頬側面の列と、下歯の舌側面の列とを含む、方法。
【請求項３】
請求項２に記載の方法において、ボックスの少なくとも１列は、前記上歯及び下歯の頬側面の列間に配置され、ボックスの少なくとも第二の列は、前記上歯及び下歯の舌側面の列間に配置される、方法。
【請求項４】
請求項２に記載の方法において、ボックスの少なくとも２列は、前記上歯及び下歯の頬側面の列間に配置され、ボックスの少なくとも２列は、前記上歯及び下歯の舌側面の列間に配置される、方法。
【請求項５】
請求項１に記載の方法において、前記歯の治療剤は、口内洗浄剤、歯磨きペースト及び歯用フロス、局部的な送り込み剤又は口腔ケア治療法から成る群から選ばれる、方法。
【請求項６】
請求項１に記載の方法において、提供される前記歯のデータは、前記箇所における歯肉組織の健康度の相対的リスクを含む治療の比較統計値を含む、方法。
【請求項７】
請求項６に記載の方法において、前記歯肉組織の健康度は歯肉炎を含む、方法。
【請求項８】
請求項１に記載の方法において、前記所定の標識は、色、色シェード、数字、文字及びグラフィック的標識から成る群から選ばれる、方法。
【請求項９】
歯科データを提供する方法において、
治療前の色々な歯及び歯肉組織の箇所に対する歯及び歯肉組織の健康度の最初の測定を行うステップと、
歯の治療剤にて前記箇所を治療した後、前記歯及び歯肉組織に対する歯及び歯肉組織の健康度の第二の測定を行うステップと、
前記箇所の各々にて第一の測定と第二の測定との間の差を決定するステップと、
前記差を歯、歯肉組織及びボックスの列を保持するチャートにグラフィック的に表現し、前記ボックスは前記歯の間に配置され、前記差は前記ボックス内の所定の標識により表示されるようにするステップとを備える、歯のデータを提供する方法。
【請求項１０】
請求項９に記載の方法において、前記グラフィックディスプレイは、上歯の頬側面の列と、下歯の頬側面の列と、下歯の舌側面の列とを含む、方法。
【請求項１１】
請求項９に記載の方法において、ボックスの少なくとも１列は、前記上歯及び下歯の頬側面の列間に配置され、ボックスの少なくとも第二の列は、前記上歯及び下歯の舌側面の列間に配置される、方法。
【請求項１２】
請求項９に記載の方法において、ボックスの少なくとも２列は、前記上歯及び下歯の頬側面の列間に配置され、ボックスの少なくとも２列は、前記上歯及び下歯の舌側面の列間に配置される、方法。
【請求項１３】
請求項１に記載の方法において、前記歯の治療剤は、口内洗浄剤、歯磨きペースト及び歯用フロスから成る群から選ばれる、方法。
【請求項１４】
請求項９に記載の方法において、提供される前記歯のデータは、前記箇所における歯垢の減少に関する相対的リスクを含む治療の比較統計値を含む、方法。
【請求項１５】
請求項９に記載の方法において、提供される前記歯のデータは、前記箇所の各々における歯垢の減少に関する改良又は改良の欠如を含む、方法。
【発明の詳細な説明】
【技術分野】
【０００１】
本発明は、教育目的のため、歯のデータを専門家に提供し且つ、治療及び予防措置を推奨するとき歯科専門家が使用し得る方法及びシステムに関する。
【背景技術】
【０００２】
今日、歯肉炎及び歯垢のような色々な歯の状態を評価する多くの方法が知られている。情報は、１人の患者又は患者のグループから得て、教育、実行又は治療の目的に使用するため何らかの方法にて評価し且つ表示される。
【０００３】
これら方策の幾つかは、患者の歯を表現する実際の歯表現物又は概略線図を含むグラフィックディスプレイを使用する。一部の方策は、口内の色々な識別された箇所における歯の色々な状態に割り当てられた点数として測定パラメータを使用する。
【発明の開示】
【発明が解決しようとする課題】
【０００４】
しかし、手段に基づく分析のような従来の方策は、読み取り且つ理解することが難しく、また、複雑であることがしばしばである。これら方策の幾つかは、また、患者の治療に実際的に大きい効果を与えないことがある。
【０００５】
歯科分野にて使用するため箇所毎の又は箇所から箇所への歯の診療データを形成し且つ、提供する改良された方策が必要とされている。
【０００６】
本発明の１つの目的は、歯のデータを提供する簡単で且つ改良されたシステム及び方法を提供することである。本発明の１つの目的は、色々な型式の治療法間の差を実証する歯のデータを提供し且つ、歯の色々な状態を有する患者に対する治療法を推奨するのを助けるべく使用することのできる方法を提供することである。
【課題を解決するための手段】
【０００７】
本発明は、これらの目的を満たすものであり、また、歯の頬側面及び歯の舌側面を表示する口のグラフィック的表現を提供するものである。歯は、一列又は群にて提供し、ディスプレイ上にて上歯が上方に、下歯が下方に現れることが好ましい。歯は、同一のパラメータを有して曲線状とし、又は、口の自然の曲率を有し、特定の面を表示し得るよう回転させることができる。
【０００８】
本発明は、歯肉の健康度の改良を示し且つ、歯垢の減少を表現するため特に使用される。歯肉状態に関して、２組みの歯のディスプレイの間に２列のボックスが提供され、ボックスは、各歯の上方又は下方の歯肉組織の縁又は乳頭面の何れかを表現する。縁組織に相応するボックスは、真上又は真下の歯の線角から線角までの距離に等しい幅を有している。乳頭組織に相応するボックスは、上方又は下方の乳頭の幅に適合する。第二の図示方法は、縁歯肉組織の頂部及び乳頭側歯肉組織の頂部に直接、湾曲した帯を使用する。
【０００９】
歯垢の減少に関してし、上側及び下側組みの歯の間に２列のボックスも提供される。ボックスの列は、一方が他方の上になるように配置し、ボックスは、歯の中間面、末端面及び近心側の面を表わす。中間面に相応するボックスは、真上又は真下の歯の線角から線角までの距離に等しい幅に適合する。末端面及び近心側の面に相応するボックスは、ボックスの上方又は下方の乳頭の幅に適合する。
【００１０】
ボックスの各々は、第一の場合又は第二の場合にて、対象とする歯の指数の実際の点数、すなわち歯垢及び（又は）歯肉炎の治療に基づく歯肉の健康度の改良の相対的な蓋然性を歯垢及び（又は）歯肉炎に対する別の治療法と比較して表わすことができる。好ましくは、ボックス又は帯は、病気の色々な段階又は治療法間の差の程度を示すべく色々な色シェード（明度）とされている。色シェードは、歯の指数の点数すなわち相対的な改良の蓋然性の程度に相応する。第二の場合において、３色のスキームを使用することができる。緑色シェードのディスプレイは、第一の治療法の方が統計学的に有意義であることを表示し、赤色シェードは、第二の治療法の方が良いことを示し、黒色又は無色は、歯垢及び（又は）歯肉炎に対する改良の蓋然性に関して２つの治療法関にて有意義でない統計学的差を表わすものである。１つの色シェードの強さは、２つの治療法の相対的な蓋然性の強さに相応する。
【００１１】
本発明によれば、歯肉炎及び歯垢のような、色々な歯の状態に対する治療により実現された改良又は悪化の程度を実証する色々な歯の指数及び統計値を表わすデータを容易に理解できる要領にて表示することで可能である。本発明は、患者の口内の各歯及び口内の位置を示す。データ及びグラフィックディスプレイは、また、治療が効果的である箇所をも示す。治療法は、また、例えば、口洗浄剤、各種の歯磨き剤によるブラッシング、フロッシング及び同様のものを使用することを含むことができる。この形態にて局所的に送り込む抗生物質を施す方法を同様に開発することもできる。
【００１２】
好ましくは、提示される結果は、メンバーが各種の治療法を受け又は利用するグループ研究から得られるものとする。この要領にて、データ及びグラフィックディスプレイを見る人は、歯周の状態及び歯垢の蓄積物を有する個々の患者における各種の治療法の効果を視覚化することができ、また、特定の治療法が効果的である特定の位置を知ることになる。
【発明を実施するための最良の形態】
【００１３】
図１Ａ及び図１Ｂには、本発明に従った歯肉の健康度のデータを表わす好ましいグラフィック的表現が示されている。グラフィック的表現は、全体として参照番号１０で示されている。図１Ａには、歯の頬側面すなわち外側面が示されている一方、図１Ｂには、歯の舌側面すなわち内側面が示されている。図１Ａにて、上歯列は、参照番号１２で示されている一方、下歯列は、参照番号１４で示されている。図１Ｂにて、上歯列は、参照番号１２´で示される一方、下歯列は、参照番号１４´で示されている。
【００１４】
図１Ａ及び図１Ｂに示すように、歯列１２、１２´、１４、１４´は、３つの群の歯にて構成されている。勿論、本発明に従って、全ての歯が一列又は線にて配置されるようにすることが可能である。
【００１５】
また、図１Ａ及び図１Ｂに示すように、歯の群は、直線状の形態にて示されている。しかし、歯を湾曲し又はアーク状に仕方にて表示することも可能である。これは、図４Ａ及び図４Ｂに示されている。図４Ａ及び図４Ｂにおいて、歯の群及びボックス列は、参照番号の前に「１」の数字を追加した点を除いて、図１Ａ及び図１Ｂの相応する部品と同一の参照番号にて表示されている。
【００１６】
図１Ａ及び図１Ｂを再度、参照すると、４つの列の各々における３つの群の歯は、文字Ａ、Ｂ、Ｃにて示されている。例えば、頬側の上歯列１２を形成する３つの群の歯は、参照番号１２Ａ、１２Ｂ、１２Ｃにて示されている。文字「Ｒ」、「Ｌ」も図１Ａ及び図１Ｂに示されており、人間の口及び歯の「右側」及び「左側」を表わす。
【００１７】
上方及び下方アーチ又は歯列の各組みの間には、一方が他方の上方となるようにボックスが２列に配置されている。これは、各歯の上方又は下方における歯肉組織の縁又は乳頭面の何れかを表わす。図１Ａにおいて、ボックス２０の列は、歯列１２に相応する一方、ボックス２２の列は、歯列１４に相応する。同様に、図１Ｂにおいて、ボックス２０´の列は、歯列１２´に相応する一方、ボックス２２´の列は、歯列１４´に相応する。歯肉組織１３の縁領域は、歯の各々の真上にある歯肉領域である。歯肉組織の乳頭面は、歯の間にある歯肉領域である。ボックス２０、２０´、２２、２２´の列にて、縁歯肉組織に相応するボックスは、真上又は真下の歯の線角から線角までの距離に等しい幅に適合し、また、上方又は下方の歯の長さを２で割った値にほぼ等しい長さである。例えば、ボックス２０の列におけるボックス３０Ａは、歯列１２における歯３０Ｂに相応する。「線角」という用語は、歯の表面にて勾配が曲がり始める箇所である歯の点を意味する。
【００１８】
乳頭組織に相応するボックスは、歯の上方又は下方の乳頭の幅に適合し、右方向への縁ボックスの長さを２で割った値にほぼ等しい長さである。例えば、ボックス列２０内のボックス３２Ａは、歯肉組織１３内の乳頭の組織領域３２Ｃに相応する。
【００１９】
ボックス列２０、２２、２０´、２２´の及び歯列１２、１４、１２´１４´内の他のボックス並びに歯肉組織領域１３、１５、１３´、１５´にも同一の説明が当て嵌まる。各々について本明細書にて詳細に説明する必要はないと考えられる。図示するように、図１Ａ、図１Ｂに示した歯及び歯肉のグラフィック的表現を使用して歯肉の健康度、すなわち歯肉組織１３、１５、１３´、１５´の健康度に関するデータを表わす。より具体的には、本発明は、歯肉炎を制御する各種の治療剤の効果を記録し且つ記述するときに特に使用される。これらの治療剤は、例えば、口洗浄剤（リステリン（Ｌｉｓｔｅｒｉｎｅ））（ファイザーコンシューマヘルスケア（Ｐｆｉｚｅｒ  Ｃｏｎｓｕｍｅｒ  Ｈｅａｌｔｈｃａｒｅ）の製品）、歯ブラシング又はフロッシングとすることができる。
【００２０】
より具体的には、本発明は、歯肉組織及び歯の表面における箇所により２つの治療の間の比較結果をグラフィック的に表現すべく使用される。この適用例において、１つの治療剤、例えばリ、ステリンによる改良の程度と別の治療法、例えば予防法による改良の程度との比として表現された相対的リスクが使用される。
【００２１】
研究に参加した患者の各々に対し、これらの箇所における歯肉組織の健康度を反映するため歯肉組織の色々な縁及び乳頭箇所の測定が行われる。歯肉組織の相対的な状態を上述した指数の場合のように、１ないし４の評価点のような色々な方法により記録することができる。例えば、３ヶ月及び６ヶ月といったような、定期的に、その後に色々な検査を行うと共に、治療剤の１つにて治療を行って、各患者の口内の各箇所に関する基準記録データを得る。
【００２２】
次に、各箇所における歯肉組織の改良程度を記録し、また、本発明に従ってグラフィック的表現を作成する。次に、歯間のボックスの列を例えば、色々な色又は色シェードにて着色するといったことによる何らかの方法で標識して改良の程度（又は改良の欠如）又は色々な治療剤及び腔内ケア治療法による改良の相対的なリスクを表わす。
【００２３】
口内の各箇所に対し、対象とする変化の発生率を各種の治療剤について測定する。次に、相対的リスクのような適用可能な統計学的方法によって２つの治療剤の率を比較し、次に、グラフィックディスプレイを生成させる。グラフィックディスプレイは、個人毎に、治療法の差を比較し、また、治療結果及び口内の全ての箇所に対して実行された分析を治療剤の各々について表わすことができる。
【００２４】
本発明の１つの好ましい実施の形態において、箇所の各々にてこの適用例の改良程度の相対的なリスクにより表現した、２つの治療剤の比較は、緑、赤及び黒のような多数の色シェードにより種類分けされる。この適用例において、リステリンがその他の治療法よりも統計学的に著しく有意義な改良程度を示す相対的リスクを表現するため、３つの緑色シェードを使用し、明るい緑色は、リステリンに起因する治療上の有利な効果が小さいことを意味し、最も暗い緑色は、リステリンに起因する強い有利な効果を意味する。これに反して、リステリンによる改良程度がその他の治療法と比較して統計学的に著しく低い相対的リスクを表示するため、３つの赤色シェードを利用することができ、最も明るい赤色は、リステリンに起因する治療上の不利益な点が僅かであること（又は、その他の治療法に起因する治療上の有利な効果が僅かであること）を示す一方、最も暗い赤色は、リステリンに起因する不利益な点が顕著である（又は、その他の治療法に起因する有利な効果が強いこと）を示す。更に、改良率に関して２つの治療法の統計学的差が有意義でないことを表わすため、別の色又は無色（例えば、この適用例にて黒色）を使用することができる。
【００２５】
説明の目的のため、相対的な色の型式及び範囲を表現するため、部分１２Ｂ、１４Ｂ内のボックスの幾つかに色々な幾何学的記号が示されている。例えば、斜線部３４Ａ、３５Ａはリステリンによる改良程度はその他の治療法よりも大きいことを示す一方、２つの星印３６Ａ、３７Ａは、その他の治療法はリステリンよりも改良程度が大きかったことを示す。ブランクなボックス３８Ａは、相対的な治療法に起因する統計学的差は存在しないことを示す。勿論、本発明に従って改良の各種の段階又は改良の欠如を示すため、任意の型式の色、文字、数字、図形、記号又は同様のものを使用することが可能であることを理解すべきである。このように、本発明は、任視の特定の統計値、色を使用し、又は色を使用することに全く制限されない。ボックス３８Ａのような、ブランクのボックスは、２つの治療法に起因する統計学的に有意義な差は存在しないことを示す。
【００２６】
説明したように、本発明は、歯肉を各種の治療剤及び治療に晒す予測分析である。本発明によれば、リステリンのような各種の治療剤、各種の歯磨きペースト、フロッシング及び同様のもののようなものによる色々な縁及び乳頭歯肉組織の治療の相対的なリスクを歯科医及びその他の歯科専門家が迅速に理解することができる。
【００２７】
歯肉の健康度の分析及びデータをグラフィック的に示す１つの代替的な方法が図３Ａ及び図３Ｂに示されており且つ、全体として参照番号４０で表示されている。図３Ａには、上歯４２及び下歯４４の頬側面が示されている。図３Ｂには、上歯４２´及び下歯４４´の舌側面が示されている。歯肉組織自体は、図３Ａにて参照番号４３、４５で示し、また、図３Ｂにて参照番号４３´、４５´で示されている。
【００２８】
この代替的な実施の形態において、図１Ａ及び図１Ｂの実施の形態にて利用したようなボックスの列ではなくて、縁の帯５０及び乳頭の「菱形」５２のような標識を使用して、歯肉組織の縁及び乳頭面の相対的なリスクに関するデータを提供する。縁の帯５０は、図３Ａに示した実施例において、参照番号５０Ａで示した相応する歯の頂部に直に配置されている。乳頭の菱形の領域５２は、相応する歯の間に配置され且つ、その特定の箇所における乳頭組織の改良程度の相対的リスクを示す。この場合にも、図３Ａ及び図３Ｂにて歯列４２、４２´、４４、４４´及び相対的な歯肉領域４３、４３´、４５、４５´における縁及び乳頭箇所の全てに対し同様の縁の帯及び乳頭の菱形の標識を提供することを読者が理解するには、箇所５０、５２を参照すれば十分であると考えられ、このため、これらの各々について、本明細書で詳細に説明する必要はない。
【００２９】
図１Ａ及び図１Ｂに示した実施の形態にて提供されるボックス列２０、２０´、２２、２２´に提供された標識と同様、図３Ａ、図３Ｂに示した実施の形態の縁及び乳頭帯は、また、上述した相対的リスク及び治療法の分析結果を示し且つ図示するため、色、文字、数字又はその他のグラフィック記号にても示されている。
【００３０】
図１Ａ及び図１Ｂに示したグラフィックディスプレイと図３Ａ、図３Ｂを比較することから明らかであるように、グラフィックチャート又はディスプレイの双方にて同一であり、形態のみが異なる、相対的リスクの標識を提供することができる。
【００３１】
この場合にも、図１Ａ及び図１Ｂに示した実施の形態と同様に、図３Ａ及び図３Ｂに示した歯列及び歯肉組織は、グループＡ、Ｂ、Ｃにて又は１本の線の歯及び歯肉組織（図示せず）にて表示することができる。更に、歯の線及び歯と歯肉組織のグループは、図３Ａ、図３Ｂに示すように直線にて表示し、又は、図４Ａ及び図４Ｂに示した表示方法の場合と同様に、より自然の湾曲したアーチにて表示することができる。
【００３２】
上述したように、本発明は、歯垢の減少に関して各種の歯の治療剤を使用することの相対的リスク又はその他の統計値を示し且つ予測するために使用することもできる。歯垢の減少に関する治療剤の効果は、図２Ａ、図２Ｂに示すようにグラフィック的に表現することができる。このグラフィック的表現は、全体として、参照番号６０で表わす。
【００３３】
図２Ａにおいて、上歯の頬側面は、列６２内に示される一方、下歯の頬側面は、列６４内にて示されている。同様に、歯の舌側面は、図２Ｂにて列６２´、６４´で示されている。図２Ａにおけるボックス７０、７２及び図２Ｂにおけるボックス７０´、７２´の２列は、上歯列及び下歯列間に位置している。ボックスは、歯の中間面、末端面又は近心面の何れかを示す。参照番号８０Ａで示したようなボックスは、歯の頬側面の中間面に相応し且つ、真上又は真下の歯の線角から線角までの距離に等しい幅に適合し、また、上方又は上方の歯の長さを２で割った値にほぼ等しい長さである。歯の頬側面の末端面及び近心面は、それぞれボックス８０Ｂ、８０Ｃにて示されている。これらのボックスは、また、ボックスの上方又は下方の乳頭の幅を２で割った値に適合し、また、右方向への縁ボックスの長さを２で割った値にほぼ等しい長さである。
【００３４】
歯の舌側面の相応する中間面、末端面及び近心面は、例えば、図２Ｂにてそれぞれボックス８０´Ａ、８０´Ｂ、８０´Ｃにより表示する。
【００３５】
図１Ａ、図１Ｂ及び図３Ａ、図３Ｂに関して上述した歯肉炎の分析と同様に、列７０、７０´、７２、７２´内のボックスは、異なる色シェードとし、明瞭に異なる色にて提供し、適宜なアルファベット、数字又はグラフィック標識にて識別し、異なる治療剤による色々な治療法に基づいて歯垢の減少に関する改良の程度を表わすことができる。第二の治療法と比較した、第一の治療法に基づく歯垢の減少の改良程度の比を表わすため、色を使用することもできる。歯垢の減少の改良程度に関する２つの治療法間の有意義でない統計学的差を表わすため、各種のブロック内のディスプレイにて無色又は異な色、数字又は同様のものを使用することもできる。
【００３６】
本発明に従って、人間の口内の各歯及び位置、及び治療方法が何らかの効果を与える各箇所が示されている。本発明は、口内の各箇所にて各種の剤による歯垢及び歯肉炎の色々な治療法の効果に関して歯科専門家に助言を与えることに特に有用である。
【００３７】
図５Ａ、図５Ｂ及び図６Ａ、図６Ｂには、各種の歯の状態及び（又は）歯垢及び歯肉炎の治療法をグラフィック的に表現する既知の方法が示されている。例えば、図５Ａ、図５Ｂには、上歯列及び下歯列の頬側面及び舌側面が示され、歯の各々は、実際の歯としてグラフィック的に表現されている。全体として参照番号１２０で示したこのグラフィックディスプレイは、１列の円形の部材１２６により分離された上歯列１２２及び下歯列１２４を示す。円形の部材１２６は、その咬合面にて見た各歯の図を概略図的に示し、また、この円形の部材は、色々な領域が分割されており、このため、歯科医又は歯科専門家は、歯の各位置にて充填のような治療法を示すことができる。
【００３８】
図６Ａ、図６Ｂにおいて、歯肉炎に対する色々な治療効果にアクセスする方法が表示されている。全体として参照番号１３０で示したこのシステム又は方法において、上歯は図６Ａに示され、また、下歯は図６Ｂに示されている。上歯の正面側又は表面側は、列１３２内に示されている一方、上歯の舌側面は列１３４内にて示されている。同様に、下歯の正面側は、列１３２´内に示されている一方、下歯の舌側は、列１３４´内に示されている。図示するように、歯は、単に数字（２ないし１５及び１８ないし３１）にて示され、また、１３２Ａ、１３４Ａ、１３４´Ａ、１３２´Ａのようなボックスは、全て同一寸法及び形状にて示されている。
【００３９】
図６Ａ及び図６Ｂに示したシステム１３０において、グラフィック的表現は、本発明に従った相対的なリスクの比と比較してオッズ比も表わす。
【００４０】
上述した本発明の説明は、治療法を比較する相対的比として本発明を記述するが、本発明は、この主題にのみ限定されるものではない。
【００４１】
本発明は、１つ又はより多くの実施の形態に関して説明したが、説明した特定の機構、過程及び手順は、単に本発明の原理を示すものにしか過ぎず、特許請求の範囲により規定された本発明の精神及び範囲から逸脱せずに、説明した方法及び装置に対して多数の形態変更を為すことが可能であることを理解すべきである。
【図面の簡単な説明】
【００４２】
【図１】１Ａ及び１Ｂは、歯肉の健康度のデータの表示に関する本発明の１つの好ましい実施の形態を示す図である。
【図２】２Ａ及び２Ｂは、歯垢の減少データを表示するときに使用される本発明の１つの好ましい実施の形態を示す図である。
【図３】３Ａ及び３Ｂは、歯肉の健康度のデータ又は歯垢の減少のデータを示す１つの代替的な方法の図である。
【図４】４Ａ及び４Ｂは、本発明に従って歯のデータを提供する１つの代替的な方法の図である。
【図５】５Ａ及び５Ｂは、歯周を図表化する既知の方法の図である。
【図６】６Ａ及び６Ｂは、歯肉の健康度の分析結果を表示する既知の方法の図である。
【図１Ａ】
2007512067.tif 000003
【図１Ｂ】
2007512067.tif 000004
【図２Ａ】
2007512067.tif 000005
【図２Ｂ】
2007512067.tif 000006
【図３Ａ】
2007512067.tif 000007
【図３Ｂ】
2007512067.tif 000008
【図４Ａ】
2007512067.tif 000009
【図４Ｂ】
2007512067.tif 000010
【図５】
2007512067.tif 000011
【図６】
2007512067.tif 000012
【国際調査報告】
2007512067.tif 000013
2007512067.tif 000014
2007512067.tif 000015